(57)【要約】【課題】  簡単な構成により、印刷見当出合いが容易に調整され得るようにした枚葉印刷機を提供する。【解決手段】  少なくとも一組の版胴１０を含んでおり、各版胴１０がその周面に巻付けられた刷版１５を版胴１０の軸方向に配置された複数の版締め機構１１によって、それぞれくわえ側版締め部１２及びくわえ尻側版締め部１３により版締めし、版張り部１４により張力を付与して、固定保持する、枚葉印刷機において、各版胴に巻付けられる刷版１５が印刷の際に印刷見当出合いを調整し得るように緩みをもって版胴１０に保持される。従って、この撓みにより、印刷時に印刷見当ずれ等の印刷見当不良の発生が抑制され、印刷見当出合いが改善されることになり印刷品質を向上することができる。【選択図】        図１
2006150681.tif 000002
【特許請求の範囲】
【請求項１】
刷版のくわえ側端部を版胴に設けられた複数のくわえ側版締め部により固定して該版胴に前記刷版を巻き付け、該刷版のくわえ尻側端部を前記版胴に設けられた複数のくわえ尻側版締め部により版締めされて固定されるオフセット印刷機において、
前記刷版は、撓みを保持した状態で前記版胴に取り付けられることを特徴とするオフセット印刷機。
【請求項２】
前記複数のくわえ尻側版締め部の夫々には、前記刷版の張り具合を調整するための版張り部が設けられ、
前記版張り部による張力を各版張り部毎に個別的に又は全体的に調整可能であることを特徴とする請求項１載のオフセット印刷機。
【請求項３】
前記刷版は、前記版胴に対してブランケット胴により圧力を付加された状態で版張りされる際に、該刷版のくわえ尻側にて前記ブランケット胴による圧力が解放された状態で前記版胴のくわえ尻側版締め部により版締めされることを特徴とする請求項１又は２記載のオフセット印刷機。
【請求項４】
前記版張り部に設けられたバネにより前記版胴のくわえ尻側版締め部に当接される版張りカムは、互いに異なる複数の角度位置において半径方向に対して異なる距離となるようなカム面を備えていることを特徴とする請求項２又は３に記載のオフセット印刷機。
【請求項５】
前記版胴に設けられた複数のくわえ尻側版締め部のうち、一部のくわえ尻側版締め部のみが同じ距離のカム面に対向して前記版張り部に設けられたバネの張力を受けることを特徴とする請求項４に記載のオフセット印刷機。
【請求項６】
前記版胴に設けられた複数の版張り部において、前記バネがそれぞれ長さ調整可能に構成されていることを特徴とする請求項５に記載のオフセット印刷機。
【請求項７】
前記刷版は、くわえ尻側の端部付近にて前記版胴の曲率半径より大きい曲率半径で、且つ、くわえ尻側の端部の近傍で曲げ加工が施されていることを特徴とする請求項１に記載のオフセット印刷機。
【請求項８】
前記刷版は、くわえ尻側の端部付近にて、枚葉紙の伸びに伴う見当ずれを吸収するためのしわ加工が施されていることを特徴とする請求項１に記載のオフセット印刷機。
【発明の詳細な説明】
【技術分野】
【０００１】
本発明は、オフセット印刷機に関し、特にカラー印刷が可能な多色刷のオフセット印刷機に関する。
【背景技術】
【０００２】
従来の枚葉多色刷オフセット印刷機は、例えば、図１９に示すように構成されている。
図１９において、オフセット印刷機１は、例えば、イエロー、マゼンタ、シアン、ブラックの各色毎に印刷ユニット１ａ、１ｂ、１ｃ、１ｄを備えている。なお、図１９においては、構成を見易くするために、インキング部や水浸し部の構成が省略されている。
上記各印刷ユニット１ａ〜１ｄは、それぞれ版胴２ａ〜２ｄ、ブランケット胴３ａ〜３ｄ、圧胴４ａ〜４ｄを備えており、圧胴４ａ〜４ｄのそれぞれの間には中間胴５ａ、５ｂ、５ｃを備えている。
【０００３】
さらに、印刷ユニット１ａの前段には給紙部６が設けられ、印刷ユニット１ｄの後段には排紙部７が設けられている。これにより、給紙部６から給紙テーブル６ａ、スイング機構６ｂ及び渡し胴６ｃを介して枚葉紙Ａが最初の印刷ユニット１ａのブランケット胴３ａと版胴２ａとの間に給紙されると共に、最後の印刷ユニット１ｄの圧胴４ｄからデリバリ胴７ａ、チェーングリッパ７ｂを介して排紙部７の排紙台７ｃ上に枚葉紙Ａが排紙される。
【０００４】
上記各印刷ユニット１ａ〜１ｄは、夫々同じ構成であって、版胴２ａ〜２ｄの周面に沿って装着された刷版（図示せず）に対して印刷インキが塗布されることにより、刷版上に塗布された印刷インキがブランケット胴３ａ〜３ｄ上に転写され、さらにブランケット胴３ａ〜３ｄに対して圧胴４ａ〜４ｄにより圧接される枚葉紙上に転写されることにより、印刷が行なわれる。
【０００５】
ここで、版胴２ａ〜２ｄへの刷版の装着は、例えば特許文献１によれば、図２０に示すように版締め機構８により行なわれる。
図２０において、版締め機構８は、くわえ側版締め部８ａと、くわえ尻側版締め部８ｂと、版張り部８ｃと、から構成されている。
くわえ側版締め部８ａは、くわえ側上歯８ｄと、くわえ側下歯８ｅと、くわえ側カム軸８ｆと、くわえ側球面ボルト８ｇと、くわえ側弾発バネ８ｈと、から構成されている。これにより、くわえ側カム軸８ｆを回動させて、くわえ側上歯８ｄ及びくわえ側下歯８ｅにより刷版をくわえ又は解放するように構成されている。
【０００６】
これに対して、くわえ尻側版締め部８ｂは、くわえ尻側上歯８ｉと、くわえ尻側下歯８ｊと、くわえ尻側カム軸８ｋと、くわえ尻側球面ボルト８ｌと、くわえ尻側弾発バネ８ｍと、から構成されている。これにより、同様にくわえ尻側カム軸８ｋを回動させて、くわえ尻側上歯８ｉ及びくわえ尻側下歯８ｊにより刷版をくわえまたは解放するように構成されている。
【０００７】
版張り部８ｃは、一箇所にカム面を備えた版張りカム８ｎと、この版張りカム８ｎのカム面に対してくわえ尻側版締め部８ｂを緩め側に付勢する圧縮バネ８ｏと、を備えており、この版張りカム８ｎを回動させてくわえ尻側版締め部８ｂを張り側または緩め側に移動させるように構成されている。
【０００８】
上記版締め機構８によれば、図２１に示すように、刷版Ｐが版胴２ａに対して取り付けられる。
まず、図２１（ａ）にて、版胴２ａのくわえ側の所定位置で、刷版Ｐの一端がくわえ側版締め部８ａに挿入されてくわえられる。続いて、図２１（ｂ）に示すように、版胴２ａとブランケット胴３ａとの接触地点に圧力が加られた状態で版胴２ａが矢印方向に回転することにより、刷版Ｐが版胴２ａの周面に密着して巻き付けられる。そして、図２１（ｃ）に示すように、版胴２ａの版尻の定位置で回転が停止すると、ブランケット胴３ａからの圧力によって刷版Ｐの版尻が自然にくわえ尻側版締め部８ｂ内に挿入され、くわえ尻側版締め部８ｂにより締め付けられる。その後、版張り部８ｃにより、くわえ尻側版締め部８ｂが張り側に移動することにより、刷版が版胴２ａの周面に対して張力をもって密着して版張りされることとなる。
【０００９】
このようにして、各版胴２ａ〜２ｄにそれぞれ刷版Ｐが取り付けられた状態で給紙部６から給紙された枚葉紙は、各印刷ユニット１ａ〜１ｄにて順次に対応する色の印刷インキによる印刷が行なわれた後、排紙部７により排紙台７ｃ上に排紙されて積層される。これにより、各枚葉紙に対して順次に印刷処理が行なわれる。
【特許文献１】特開２０００−２７２０９６号公報
【発明の開示】
【発明が解決しようとする課題】
【００１０】
しかしながら、従来の多色刷オフセット枚葉印刷機においては、図２２（ａ）に示すように、枚葉紙９に対して印刷画像９ａが印刷されるべきところ、印刷時の枚葉紙９の伸びによって、図２２（ｂ）に示すように、枚葉紙９が版尻９ｂ側（図２２（ｂ）にて上縁側）で横方向に伸びてしまい、これによって印刷見当出合いがずれてしまい印刷画像９ａが歪み、所謂印刷見当不良が発生してしまうという問題点があった。
【００１１】
本発明は、以上の問題点に鑑みて成されたものであり、簡単な構成により、印刷見当出合いが容易に調整可能なようにしたオフセット印刷機を提供することを目的とする。
【課題を解決するための手段】
【００１２】
前記課題を解決するため、請求項１記載の発明は、刷版のくわえ側端部を版胴に設けられた複数のくわえ側版締め部により固定して該版胴に前記刷版を巻き付け、該刷版のくわえ尻側端部を前記版胴に設けられた複数のくわえ尻側版締め部により版締めされて固定されるオフセット印刷機において、  前記刷版は、撓みを保持した状態で前記版胴に取り付けられることを特徴とする。
【００１３】
請求項２記載の発明は、請求項１記載の発明において、前記複数のくわえ尻側版締め部の夫々には、前記刷版の張り具合を調整するための版張り部が設けられ、前記版張り部による張力を各版張り部毎に個別的に又は全体的に調整可能であることを特徴とする。
【００１４】
請求項３記載の発明は、請求項１又は２記載の発明において、前記刷版は、前記版胴に対してブランケット胴により圧力を付加された状態で版張りされる際に、該刷版のくわえ尻側にて前記ブランケット胴による圧力が解放された状態で前記版胴のくわえ尻側版締め部により版締めされることを特徴とする。
【００１５】
請求項４記載の発明は、請求項２又は３記載の発明において、前記版張り部に設けられたバネにより前記版胴のくわえ尻側版締め部に当接される版張りカムは、互いに異なる複数の角度位置において半径方向に対して異なる距離となるようなカム面を備えていることを特徴とする。
【００１６】
請求項５記載の発明は、請求項４記載の発明において、前記版胴に設けられた複数のくわえ尻側版締め部のうち、一部のくわえ尻側版締め部のみが同じ距離のカム面に対向して前記版張り部に設けられたバネの張力を受けることを特徴とする。
【００１７】
請求項６記載の発明は、請求項５記載の発明において、前記版胴に設けられた複数の版張り部において、前記バネがそれぞれ長さ調整可能に構成されていることを特徴とする。
【００１８】
請求項７記載の発明は、請求項１記載の発明において、前記刷版は、前記刷版は、くわえ尻側の端部付近にて前記版胴の曲率半径より大きい曲率半径で、且つ、くわえ尻側の端部の近傍で曲げ加工が施されていることを特徴とする。
【００１９】
請求項８記載の発明は、請求項１記載の発明において、前記刷版は、くわえ尻側の端部付近にて、枚葉紙の伸びに伴う見当ずれを吸収するためのしわ加工が施されていることを特徴とする。
【発明の効果】
【００２０】
本発明によれば、各版胴に巻付けられる刷版が、印刷見当出合いを調整し得るように、上記版胴に対して撓みを保持して固定されているので、印刷見当出合いの適宜の調整によって、印刷時に印刷見当ずれ等の印刷見当不良の発生が抑制され、印刷見当出合いが改善されることになり印刷品質を向上することができる。
【００２１】
また、版張り部による張力が、全体としてまたはそれぞれ互いに独立的に調整可能である場合には、版胴の軸方向に関して、張力の調整量が適宜に変更されることにより、全体として印刷見当出合いの調整をより適切に行なうことが可能となる。
【００２２】
また、各刷版が、対応する版胴に対して僅かに緩めた状態で版締めされている場合には、印刷時にくわえ側からくわえ尻側に向かって刷版が版胴の周面に対して印圧により押圧されることにより、くわえ尻側で刷版が版胴に対して遊びを生ずることになり、この遊び量を適宜に選定することによって、この遊び量に基づいて、刷版がその弾性に基づいて復元しようとするので、印刷見当出合いが適宜に調整され、印刷見当不良の発生を抑制することができる。
【００２３】
また、各刷版が、対応する版胴に対して印圧を印加して版張りされる際に、くわえ尻側にて印圧が解放された状態で、上記版胴のくわえ尻側版締め部により版締めされる場合には、刷版がくわえ尻側で版胴に対して版締めされる際に、印圧が解放されていることによって、版胴に対して僅かに緩めた状態で版締めされることになる。
【００２４】
また、版張り部の圧縮バネにより尻側版締め部が当接される版張りカムは、互いに異なる複数の角度位置にて半径方向に対して異なる距離となるようにカム面を備えるので、上記版張りカムが適宜に回動されることによって、その最も深いカム面がくわえ尻側版締め部に対向した状態で、くわえ尻側版締め部が刷版の版尻を締め付け、その後版張りカムが回動して、その他のカム面または周面がくわえ尻側版締め部に対向することにより、刷版に張力を付与することになる。
これにより、くわえ尻側版締め部が刷版の版尻を締め付ける際の版張りカムの最も深いカム面と周面との半径の差に基づいて刷版に張力が付与されるので、カム面に対応して刷版に対する張力を段階的に調整することが可能となる。
従って、くわえ尻側で刷版が版胴に対して遊びを生ずることになり、この遊び量に応じて、印刷見当出合いが適宜に調整され、印刷見当不良の発生を抑制することができる。
【００２５】
また、版胴の各くわえ尻側版締め部のうち、一部のくわえ尻側版締め部のみが、同じ深さのカム面に対向して上記版張り部の圧縮バネの張力を受ける場合には、例えば一つおきのくわえ尻側版締め部に関して、版締めの際に所定のカム面に対してバネにより押圧され、当該カム面によって位置決めされることになる。
従って、全体として、即ち版胴の軸方向に関して、刷版に付与される張力が平均してより細かく調整することが可能となる。
【００２６】
また、版胴の版張り部にて、バネがそれぞれ長さ調整可能に構成されている場合には、各版張り部により刷版に付与される張力をそれぞれ圧縮バネの長さ調整によって調整することができる。
【００２７】
また、版胴に巻付けられる刷版が、各くわえ尻側の端部付近にて、版胴の曲率半径より小さな曲率半径で且つくわえ尻側の端部により近い位置で曲げを付与されている場合には、刷版がくわえ尻側の端部にて、小さな曲率半径の曲げを付与されていることによって、版胴の周面に版張りされたとき、この曲げ部分が版胴の表面から僅かに浮き上がって、僅かな緩みを生ずるので、印刷見当出合いが調整されて、印刷見当不良の発生を抑制することができる。
【００２８】
さらに、版胴に巻付けられる刷版が、くわえ尻側の端部付近にて、枚葉紙の伸びに伴う見当ずれを吸収するようなしわ加工を施されている場合には、刷版がくわえ尻側の端部にて、しわ加工を施されていることによって、版胴の周面に版張りされたとき、この曲げ部分が版胴の表面から僅かに浮き上がって、僅かな緩みを生ずるので、印刷見当出合いが調整されて、印刷見当不良の発生を抑制することができる。
【００２９】
このようにして、本発明によれば、刷版の版胴への版張りの際の張力を調整し、あるいは刷版自体にくわえ尻側の端縁付近に、印刷の際の印刷見当出合いを調整し得るように、曲げ加工やしわ加工を施すことによって、刷版のくわえ尻側に遊びが生じ、この遊びに基づいて印刷見当ずれ等の印刷見当不良の発生を抑制することができ、印刷見当出合いが改善されることになる。
【発明を実施するための最良の形態】
【００３０】
以下、添付図面を参照しながら、本発明に係る多色刷オフセット印刷機を実施するための最良の形態を詳細に説明する。
【実施例１】
【００３１】
図１は、本発明に係る多色刷オフセット印刷機の第１の実施形態の要部である版胴の構成を示す拡大断面図である。
図１において、本発明に係る多色刷オフセット印刷機の版胴１０は、上述した従来の枚葉多色刷オフセット印刷機と同様に版締め機構１１を備えている。ここで、版締め機構１１は、版胴１０の軸方向に複数並列配置されている。なお、本発明の実施例では、例えば１２箇所に版締め機構１１が配置されている。
【００３２】
版締め機構１１は、くわえ側版締め部１２と、くわえ尻側版締め部１３と、版張り部１４と、から構成されている。
くわえ側版締め部１２は、くわえ側上歯１２ａと、くわえ側下歯１２ｂと、くわえ側カム軸１２ｃと、くわえ側球面ボルト１２ｄと、くわえ側弾発バネ１２ｅと、から構成されている。これにより、くわえ側カム軸１２ｃを回動させて、くわえ側上歯１２ａ及びくわえ側下歯１２ｂにより刷版をくわえまたは解放するように動作する。
【００３３】
これに対して、くわえ尻側版締め部１３は、くわえ尻側上歯１３ａと、くわえ尻側下歯１３ｂと、くわえ尻側カム軸１３ｃと、くわえ尻側球面ボルト１３ｄと、くわえ尻側弾発バネ１３ｅと、から構成されている。これにより、くわえ尻側カム軸１３ｃを回動させて、尻側上歯１３ａ及び尻側下歯１３ｂにより刷版をくわえ又は解放するように動作する。
【００３４】
版張り部１４は、一箇所にカム面を備えた版張りカム１４ａと、このカム１４ａのカム面１４ｂに対して上記尻側版締め部１３を緩め側に付勢する圧縮バネ１４ｃと、を備えており、この版張りカム１４ａを回動させて、くわえ尻側版締め部１３を張り側または緩め側に移動させるようになっている。
図示の場合、版張り部１４の版張りカム１４ａは、その周面が例えば半径１０ｍｍの略円形に形成されていると共に、版張りカム面１４ａが中心から上記半径より小さい距離、例えば９ｍｍの距離に形成されている。
【００３５】
以下、図２〜図８を参照して、本発明の実施形態における刷版の版張り手順について具体的に説明する。
まず、版張りの際には、上述した版張り部１４の版張りカム１４ａは、そのカム面１４ｂがくわえ尻側版締め部１３のくわえ尻側下歯１３ｂに対向する位置に移動する。これにより、くわえ尻側版締め部１３は、緩め側に位置決めされることになる。
そして、初期の工程では、まず図２（ａ）に示すように、版胴１０のくわえ側の定位置で、刷版１５のくわえ側端部がくわえ側版締め部１２に挿入され、くわえ側版締め部１２によりくわえられる。
【００３６】
続いて、図２（ｂ）そして図２（ｃ）に示すように、版胴１０とブランケット胴１６（図２参照）の接点に該ブランケット胴１６による圧力が加られると共に、版胴１０が矢印方向に回転することにより、刷版１５が版胴１０の周面に密着して巻き付けられる。なお、このとき、版胴１０の回転に同期してブランケット胴１６は同位相で逆回転することになる。
【００３７】
そして、図３の挿入工程に示すように、版胴１０の版尻の定位置で版胴１０の回転が停止すると、ブランケット胴１６による圧力によって刷版１５の屈曲した版尻１５ａがくわえ尻側上歯１３ａ及びくわえ尻側下歯１３ｂの間に挿入され、図４の版締め工程に示すように、くわえ尻側カム軸１３ｃが回動してくわえ尻側上歯１３ａ及びくわえ尻側下歯１３ｂが閉じることにより、尻側版締め部１３によって締め付けられる。
【００３８】
続いて、図５の版張り工程に示すように、版張り部１４の版張りカム１４ａが回動され、そのカム面１４ｂのない円筒状の周面がくわえ尻側下歯１３ｂに対向する位置に持ち来たされる。
これにより、くわえ尻側版締め部１３が、圧縮バネ１４ｃの張力に抗して、版胴１０の接線方向に関して矢印Ａで示すように張り側に僅かに、例えば１ｍｍだけ移動して、刷版１５に張力を付与することになる。
【００３９】
さらに、本発明実施形態による枚葉印刷機においては、図６の緩み付与工程に示すように、尻側版締め部１３の尻側上歯１３ａ及び尻側下歯１３ｂが開放し、上記版張りカム１４ａが回動して、そのカム面１４ｂが尻側版締め部１３の尻側下歯１３ｂに対向すると共に、版胴１０及びブランケット胴１６がさらに僅かに回転する。
これにより、刷版１５の版尻１５ａが、尻側版締め部１３から解放されると共に、ブランケット胴１６による印圧から解放されることになり、刷版１５がその弾性に基づく復元力により、尻側の領域が僅かに版胴１０の周面から離反することになる。
【００４０】
その後、図７の再版締め工程に示すように、再び尻側版締め部１３の尻側上歯１３ａ及び尻側下歯１３ｂが閉じて、刷版１５の版尻が尻側版締め部１３により締め付けられ、続いて図８の再版張り工程に示すように、上記版張りカム１４ａが回動され、そのカム面１４ｂのない円筒状の周面が尻側版締め部１３の尻側下歯１３ｂに対向する位置に持ち来たされる。
これにより、尻側版締め部１３が版胴１０の接線方向に関して矢印Ａで示すように、張り側に僅かに移動して、再び刷版１５に張力を付与することになる。
【００４１】
このようにして、刷版１５は、版胴１０の周面に対して完全に密着した状態ではなく、版尻の領域にて僅かに緩みをもって版張りされる。
従って、印刷の際に枚葉紙が伸びたとしても、この伸び量に対応して刷版１５が版胴１０の周面に対して緩みによる遊び量に基づいて弾性によって復元しようとするので、印刷見当出合いが調整されることになり、印刷見当不良の発生を抑制することができる。
【実施例２】
【００４２】
図９は、本発明による枚葉印刷機の第２の実施形態の要部である版胴の構成を示している。
図９において、枚葉印刷機の版胴２０は、図１に示した版胴１０とほぼ同様の構成であるので、同じ構成要素には同じ符号を付してその説明を省略する。
版胴２０は、図１に示した版胴１０とは、版張り部１４の版張りカム２１の形状が異なる点でのみ、異なる構成になっている。
即ち、版張りカム２１は、図９に示すように、互いに異なる２つの角度位置にて、それぞれ半径方向に異なる距離（深さ）、即ち中心Ｏからの距離が異なる２つのカム面２１ａ、２１ｂを備えている。
ここで、カム面２１ａ、２１ｂは、例えば、それぞれ中心からの距離が８ｍｍ及び９ｍｍに選定されている。
【００４３】
このような構成の枚葉印刷機によれば、版胴２０の周面への刷版１５の版張りは、前述した枚葉印刷機における図２乃至図５に示すようにして行なわれる。
この場合、版張り部１４の版張りカム２１が回動され、図１０（ａ）の挿入工程に示すように、そのカム面２１ａが尻側版締め部１３の尻側下歯１３ｂに対向する位置から、図１０（ｂ）の第１の版張り工程に示すように、カム面２１ｂが尻側版締め部１３の尻側下歯１３ｂに対向する位置に持ち来たされると、これにより尻側版締め部１３そして刷版１５の版尻が、１ｍｍ引っ張られることにより、刷版１５に対して比較的小さい張力が付与されることになる。
【００４４】
これに対して、版張り部１４の版張りカム２１が回動され、図１０（ａ）の挿入工程に示すように、そのカム面２１ａが尻側版締め部１３の尻側下歯１３ｂに対向する位置から、図１０（ｃ）の第２の版張り工程に示すように、カム面２１ａ、２１ｂのない円筒状の周面が尻側版締め部１３の尻側下歯１３ｂに対向する位置に持ち来たされると、これにより尻側版締め部１３そして刷版１５の版尻が、２ｍｍ引っ張られることにより、刷版１５に対して比較的大きい張力が付与されることになる。
【００４５】
このようにして、刷版１５は、版張り部１４の版張りカム２１の回動位置に応じて、二段階の張力が選択的に付与されることになり、比較的小さな張力が付与される場合には、印刷の際に枚葉紙が伸びたとしても、この伸び量に対応して、刷版１５が版胴２０の周面に対する張力に応じて、弾性によって復元しようとすることにより、印刷見当出合いが調整され、印刷見当不良の発生を抑制することができる。
【実施例３】
【００４６】
図１１は、本発明による枚葉印刷機の第３の実施形態として、図９及び図１０に示した枚葉印刷機の変形例を示している。
図１１による枚葉印刷機においては、版張りの最終工程にて、図１０（ａ）に示すように、版張り部１４の版張りカム２１のカム面２１ａが尻側版締め部１３の尻側下歯１３ｂに対向する位置から、上記版張り部１４の版張りカム２１が回動されて、図１１（ａ）即ち図１０（ｃ）に示すように、カム面２１ａ、２１ｂのない円筒状の周面が尻側版締め部１３の尻側下歯１３ｂに対向する位置に持ち来たされると、これにより尻側版締め部１３そして刷版１５の版尻が約２ｍｍ引っ張られることにより、刷版１５に対して比較的大きい張力が付与されることになる。
【００４７】
これに対して、版張り部１４の版張りカム２１が回動され、一部の尻側版締め部１３について、版張りカム２１のカム面２１ａが尻側版締め部１３の尻側下歯１３ｂに対向する位置から、図１１（ｂ）に示すように、カム面２１ｂが尻側版締め部１３の尻側下歯１３ｂに対向する位置に持ち来たされると、これにより尻側版締め部１３そして刷版１５の版尻が、約１ｍｍ引っ張られることにより、刷版１５に対して比較的小さい張力が付与されることになる。
【００４８】
他方、他の一部の尻側版締め部１３については、版張りカム２１のカム面２１ａが尻側版締め部１３の尻側下歯１３ｂに対向する位置から、図１１（ｃ）に示すように、カム面２１ａ、２１ｂのない円筒状の周面が尻側版締め部１３の尻側下歯１３ｂに対向する位置に持ち来たされると、これにより尻側版締め部１３そして刷版１５の版尻が約２ｍｍ引っ張られることにより、刷版１５に対して比較的大きい張力が付与されることになる。
【００４９】
このようにして、すべての尻側版締め部１３のうち、例えば一つおきの尻側版締め部１３に関して、図１１（ｂ）に示すように、刷版１５の版尻に対して小さな張力が付与され、また残りの尻側版締め部１３に関して、図１１（ｃ）に示すように、刷版１５の版尻に対して大きな張力が付与されることになる。
これにより、刷版１５の版尻全体について、上述した小さな張力と大きな張力の平均値の張力が付与されることになり、より細かい張力の調整が行なわれる。従って、印刷時における枚葉紙の伸びに対して、より精度よく刷版１５に対する張力を調整して、印刷見当出合いが調整され、印刷見当不良の発生をより良好に抑制することができる。
【実施例４】
【００５０】
図１２は、本発明による枚葉印刷機の第４の実施形態の要部である版胴の構成を示している。
図１２において、枚葉印刷機の版胴３０は、図９に示した版胴２０とほぼ同様の構成であるので、同じ構成要素には同じ符号を付してその説明を省略する。
版胴３０は、図９に示した版胴２０とは、版張り部１４の圧縮バネ１４ｃが、調整ネジ３１により長さ調整可能に構成されている点でのみ、異なる構成になっている。
即ち、圧縮バネ１４ｃは、図１２に示すように、調整ネジ３１をネジ込むことにより、全長が短縮されて、張力が増大されると共に、調整ネジ３１を緩めることにより、全長が伸長されて、張力が低減され得るように構成されている。
【００５１】
このような構成の枚葉印刷機によれば、図９に示した枚葉印刷機と同様に動作すると共に、調整ネジ３１の調整によって版張り部１４の圧縮バネ１４ｃの長さが調整され、これによって版張り部１４によって刷版１５の版胴３０に対する張力を調整することが可能になる。
従って、刷版１５の版胴３０に対する張力が適宜に調整されることによって、印刷時の枚葉紙の伸びに応じて、印刷見当出合いが適正に調整され、印刷見当不良の発生を抑制することができる。
【実施例５】
【００５２】
図１３は、本発明による枚葉印刷機の第５の実施形態の要部である刷版の構成を示している。
図１３において、枚葉印刷機で使用される刷版４０は、図１または図９に示した枚葉印刷機で使用される刷版１５あるいは従来の枚葉印刷機で使用される刷版と比較して、版尻４１側にて曲げ４２を付与されている。
この場合、刷版４０が版張りされる版胴は、上述した図１、図９または図１２に示す版胴１０、２０、３０あるいは従来の枚葉印刷機で使用される版胴２ａ、３ａ、４ａが使用可能である。
【００５３】
刷版４０の曲げ４２は、より具体的には、図１４（ａ）に示すように、版尻４１により近い位置４３にて、版胴の周面の曲率半径よりも大きい曲率半径を有している。
これに対して、従来の刷版１５は、図１４（ｂ）に示すように、くわえ尻側版締め部１３により版締めされる領域が平坦であり、この領域に隣接する位置にて、版胴の周面の曲率半径とほぼ同じ曲率半径の曲げ１５ｂを備えている。
【００５４】
このような構成の枚葉印刷機によれば、刷版４０は、版胴１０に版張りされる場合、図１５（ａ）に示すように、その版尻４１の位置４３からくわえ側端部近傍が大きい曲率半径の曲げ４２の形状により、版胴１０の表面から浮き上がった状態に保持されることになる。
尚、従来の刷版１５の場合には、図１５（ｂ）に示すように、刷版１５は、その曲げ１５ｂの形状により、版胴１０の周面に沿って密着した状態に保持されることになる。
【００５５】
従って、図１に示した枚葉印刷機と同様に動作すると共に、上述した小さな曲率半径の曲げ４２の形状に基づいて、刷版４０は、版胴１０の周面に対して完全に密着した状態ではなく、版尻の領域にて僅かに緩みをもって版張りされることになる。
これにより、印刷の際に、枚葉紙が伸びたとしても、この伸び量に対応して刷版４０が版胴１０の周面に対する緩み（遊び）に基づいて、弾性によって復元しようとするので、印刷見当出合いを調整することができ、印刷見当不良の発生を抑制することができる。
【実施例６】
【００５６】
図１６は、本発明による枚葉印刷機の第６の実施形態の要部である刷版の構成を示している。
図１６において、枚葉印刷機で使用される刷版５０は、図１または図９に示した枚葉印刷機で使用される刷版１５あるいは従来の枚葉印刷機で使用される刷版と比較して、版尻５１側にてしわ加工５２を付与されている。
この場合、刷版５０が版張りされる版胴は、上述した図１、図９または図１２に示す版胴１０、２０、３０あるいは従来の枚葉印刷機で使用される版胴２ａ、３ａ、４ａが使用可能である。
【００５７】
刷版５０のしわ加工５２は、より具体的には、図１７の平面図に示すように、版尻５１の端縁にて、幅方向に複数箇所、図示の場合、２箇所に設けられており、上方に向かって楔形に突出するように形成されている。
尚、このしわ加工５２に対応して、刷版５０上の印刷画像５３も同様に版尻５１側が幅方向に縮小するように形成されている。
【００５８】
このような構成の枚葉印刷機によれば、刷版５０は、版胴１０に版張りされたとき、各しわ加工５２が幅方向に伸びることにより、刷版５０の版尻５１の幅が僅かに増大することになる。
従って、図１８に示すように、枚葉紙５３が特に版尻側で幅方向に矢印で示すように伸びたとしても、この伸び量に対応して刷版５０にしわ加工５２が施されていることによって、枚葉紙上には、上記伸びの影響を受けない正しい形状の印刷画像５３による印刷が行なわれる。
【００５９】
従って、図１に示した枚葉印刷機と同様に動作すると共に、上述したしわ加工５２が版張りされたとき幅方向に伸びることにより、印刷の際に、枚葉紙が伸びたとしても、この伸び量に対応して、しわ加工５２によって刷版５０の版尻５１付近が幅方向に伸びることになり、印刷見当出合いが調整され、印刷見当不良の発生を抑制することができる。
【産業上の利用可能性】
【００６０】
上述した実施形態においては、それぞれ枚葉印刷機は、枚葉紙の片面に対して四色刷り印刷を行なうようになっているが、これに限らず、単色刷り、二色刷りまたは三色刷りあるいは五色以上の多色刷りや、両面印刷を行なう枚葉印刷機であっても、本発明を適用し得ることは明らかである。
このようにして、本発明によれば、簡単な構成により、印刷見当出合いが容易に調整され得るようにした枚葉印刷機が提供されることになる。
【図面の簡単な説明】
【００６１】
【図１】本発明による枚葉印刷機の第１の実施形態の要部である版胴の構成を示す部分断面図である。
【図２】版胴に対して刷版装着の際の初期の工程を順次に示す概略断面図である。
【図３】版胴に対する刷版装着の際の尻側版締め部への刷版の挿入工程を示す概略断面図である。
【図４】版胴に対する刷版装着の際の尻側版締め部による版締め工程を示す概略断面図である。
【図５】版胴に対する刷版装着の際の版張り部による版張り工程を示す概略断面図である。
【図６】版胴に対する刷版装着の際の印圧解放による刷版の緩み付与工程を示す概略断面図である。
【図７】版胴に対する刷版装着の際の尻側版締め部による再版締め工程を示す概略断面図である。
【図８】版胴に対する刷版装着の際の版張り部による再版張り工程を示す概略断面図である。
【図９】本発明による枚葉印刷機の第２の実施形態の要部である版胴の構成を示す部分断面図である。
【図１０】版胴における刷版の型張り工程を順次に示す部分断面図である。
【図１１】本発明による枚葉印刷機の第３の実施形態の要部である版胴の構成を示す部分断面図である。
【図１２】本発明による枚葉印刷機の第４の実施形態の要部である版胴の構成を示す部分断面図である。
【図１３】本発明による枚葉印刷機の第５の実施形態の要部である刷版の構成を示す概略斜視図である。
【図１４】本発明で用いられる刷版及び従来の刷版の版尻付近の部分拡大断面図である。
【図１５】本発明で用いられる刷版及び従来の刷版の版胴への版張り状態を示す断面図である。
【図１６】本発明による枚葉印刷機の第６の実施形態の要部である刷版の構成を示す概略斜視図である。
【図１７】しわ加工を施した刷版を示す概略平面図である。
【図１８】しわ加工を施した刷版により印刷された枚葉紙を示す概略平面図である。
【図１９】従来の枚葉印刷機の全体構成を示す概略断面図である。
【図２０】従来の版胴の構成を示す部分断面図である。
【図２１】従来の刷版の装着状態を順次に示す概略断面図である。
【図２２】従来の枚葉印刷機により印刷された枚葉紙を示す概略平面図である。
【符号の説明】
【００６２】
１０    版胴
１１    型締め機構
１２    くわえ側版締め部
１３    尻側版締め部
１４    版張り部
１４ａ  版張りカム
１４ｂ  カム面
１４ｃ  圧縮バネ
１５    刷版
１５ｂ  曲げ
１６    ブランケット胴
２０    版胴
２１    版張りカム
２１ａ、２１ｂ  カム面
３０    版胴
３１    調整ネジ
４０    刷版
４１    版尻
４２    曲げ
５０    刷版
５１    版尻
５２    しわ加工
５３    印刷画像
【図１】
2006150681.tif 000003
【図２】
2006150681.tif 000004
【図３】
2006150681.tif 000005
【図４】
2006150681.tif 000006
【図５】
2006150681.tif 000007
【図６】
2006150681.tif 000008
【図７】
2006150681.tif 000009
【図８】
2006150681.tif 000010
【図９】
2006150681.tif 000011
【図１０】
2006150681.tif 000012
【図１１】
2006150681.tif 000013
【図１２】
2006150681.tif 000014
【図１３】
2006150681.tif 000015
【図１４】
2006150681.tif 000016
【図１５】
2006150681.tif 000017
【図１６】
2006150681.tif 000018
【図１７】
2006150681.tif 000019
【図１８】
2006150681.tif 000020
【図１９】
2006150681.tif 000021
【図２０】
2006150681.tif 000022
【図２１】
2006150681.tif 000023
【図２２】
2006150681.tif 000024